(57)【要約】【課題】ボタン外観部分の成形型抜きが可能で、一体成形されるボタン外観の中央に決定ボタンを配置することができ、しかも小型でありながら上下左右のスイッチを確実にスイッチングするためのチルト角を大きくとることができるボタン装置を提供する。【解決手段】選択ボタンはスプリングによって上方向に付勢されている。４個の係止爪はベースの下面に係止され、選択ボタンの中央に決定ボタンピンが配置され、その周囲に４個の選択ボタンピンが配置されている。スイッチ部が搭載された基板がベースの下に配置される。決定ボタンピンおよび選択ボタンピンの下降によってスイッチ部がオンする。決定ボタンを押したときは、決定ボタンスイッチが最初にオン動作する。選択ボタンの１つを押したときは、反対側の２つの係止爪が支点となって押した真下の選択ボタンスイッチがオンする。【選択図】　　　　図２
2004146301.tif 000002
【特許請求の範囲】
【請求項１】
少なくとも上下左右方向に押圧可能なボタン装置であって、
押圧操作されるボタン外形部と、少なくとも４つのスイッチと、該少なくとも４つのスイッチのそれぞれを操作可能な前記ボタン外形部の略中心位置から略上下左右方向の位置に配置された前記ボタン外形部と一体成形の少なくとも４つのボタンピンと、前記ボタン外形部と一体形成された複数の係止部と、前記複数の係止部が係止することにより前記ボタン外形部を係止するボタン受け部とを備え、
前記複数の係止部は、少なくとも前記４つのボタンピンより前記ボタン外形部の略中心に近い位置であって、前記上下左右方向からずらした位置に配置したことを特徴とするボタン装置。
【請求項２】
二次元面における少なくとも上下左右方向に操作可能とするために、操作者にて押圧されるボタン外形部と、該ボタン外形部が載置されるボタン外形受け部と、押圧にてオンとなるスイッチ部と、を備えたボタン装置において、
前記ボタン外形部は、下面の少なくとも上下左右方向にそれぞれ配設された複数のボタンピンと、前記ボタン外形受け部に係止される複数の係止部とを備え、
前記ボタン外形受け部は、前記ボタンピンを貫通させる孔部と、前記係止部が係止される係止受け部とを備え、
前記スイッチ部は、上面の前記ボタン外形受け部の孔部を貫通したそれぞれの前記ボタンピンに対応する位置で、かつ該ボタンピンに押圧されることでオンとなる複数のスイッチを備え、
前記ボタン外形部の下面とスイッチ部の上面とを前記ボタン受け部を介して対面する際に、前記上方向に対応するスイッチと前記下方向に対応するスイッチとを結ぶ上下直線と、該上下直線に平行でかつ前記右方向のスイッチを含む第１の直線と、前記上下直線に平行でかつ前記左方向のスイッチを含む第２の直線と、前記左方向に対応するスイッチと前記右方向に対応するスイッチとを結ぶ左右直線と、該左右直線に平行でかつ前記上方向のスイッチを含む第３の直線と、前記左右直線に平行でかつ前記下方向のスイッチを含む第４の直線とを規定し、
前記第１の直線と前記第３の直線と前記上下直線と前記左右直線とに囲まれる領域を第１の領域とし、前記第１の直線と前記第４の直線と前記上下直線と前記左右直線とに囲まれる領域を第２の領域とし、前記第２の直線と前記第４の直線と前記上下直線と前記左右直線とに囲まれる領域を第３の領域とし、前記第２の直線と前記第３の直線と前記上下直線と前記左右直線とに囲まれる領域を第４の領域と規定し、
前記複数の係止部は、前記第１乃至４の領域の異なる領域に配置することを特徴とするボタン装置。
【請求項３】
前記スイッチと、該スイッチの左方向および右方向に位置するそれぞれのスイッチとを結ぶ直線を規定し、該直線付近に前記係止部を設けたことを特徴とする請求項２記載のボタン装置。
【請求項４】
前記スイッチと、該スイッチの左方向および右方向に位置するそれぞれのスイッチとを結ぶ直線を規定し、該直線の略中央付近に前記係止部を設けたことを特徴とする請求項３記載のボタン装置。
【請求項５】
前記スイッチは、所要の配線上に設けるとともに、前記配線を保護する保護部を設けた構成であって、
前記ボタン外形部を前記ボタン外形受け部に載置し、前記ボタン外形部と前記スイッチ部を所要に対向する際に、
前記係止部に対向する位置に、前記保護部が形成されていない形状とすることを特徴とする請求項２乃至４記載のボタン装置。
【請求項６】
前記ボタン受け部の底面に制限ピンを有することを特徴とする請求項１乃至５記載のボタン装置。
【請求項７】
前記ボタン外形部の略中央部に中央ボタンピンを備え、該ボタンピンに対応してスイッチを設けるとともに、前記ボタン外形部の上下左右のそれぞれに配置されたボタンピンより短いストロークでオンできることを特徴とする請求項２乃至６記載のボタン装置。
【請求項８】
前記ボタン外形部とボタン外形受け部との間に、付勢手段を設けたことを特徴とする請求項２乃至７記載のボタン装置。
【請求項９】
前記付勢手段はコイルスプリングであることを特徴とする請求項８記載のボタン装置。
【発明の詳細な説明】
【０００１】
【発明の属する技術分野】
本発明は、ディジタルカメラ等において、カメラモードや再生モード等を選択設定する場合に上下左右に選択する機能および決定する機能を有するスイッチとして用いることができるボタン装置に関する。
【０００２】
【従来の技術】
ディジタルカメラなどの電子機器において、液晶画面などにユーザが選択するための複数の項目が表示される場合、これを選択するスイッチ手段が必要となる。その代表的なものとして十字ボタン装置が従来より用いられている。
図１２は、従来の十字ボタン装置の一例を説明するための図で、（ａ）は十字ボタンと係止板の組立断面図，（ｂ）は十字ボタンの平面図，（ｃ）は係止板の平面図をそれぞれ示している。
【０００３】
十字ボタン３１の外観は単純な構成では上面が平らで円形状をしており、中央部から下部に延びた軸部３１ａの先端は幅広の係止部３１ｂを有している。
係止板３２は中央部に十字溝３２ａを有し、十字溝３２ａの中央の幅３２ｂは係止部３１ｂの幅より狭い構造になっている。係止板３２は弾性材を用いているため十字溝３２ａを変形させて軸部３１ａを挿通させ係止させることができる。
この例は、中央部分に決定ボタンを設けることができない構造であるが、十字ボタン３１に付勢力を与えれば上下左右を選択するスイッチ機構のボタン外観部として機能する。
【０００４】
図１３は十字ボタンの型抜きを説明するための図で、（ａ）はボタン外観が平面の場合、（ｂ）はボタン外観に凹部を施した場合をそれぞれ示している。
（ａ）は図１２で例示した単純な形状であり、上型３３，左型３４，右型３５および下型４１の４つの型より成形することができ、矢印に示す方向に型抜きをすることができる。
【特許文献１】特開２０００−３３０１７５号公報
【０００５】
【発明が解決しようとする課題】
（ｂ）はボタン外観として実際に要求される複雑な形状の一例である。
十字ボタンを形成する場合、その表面はデザインを考慮しつつ指の引っ掛かりや操作感を確保するために複雑な凹部４０ａを要求される。かかる場合、プラスチック部材の型抜きは、完成時のヒケ等の変形を防止するため厚みは均一にする必要がある。したがって裏面は表面の形状に沿ったものとなり、裏面にも凹部４０ｂが形成されることとなる。
このような形状の十字ボタンの成形を想定した場合、上型３６，左型３７，右型３８および下型４２は矢印の方向に抜くことができるが、凹部４０ｂ部分は引き抜くことができない。型の数を増加させ他の方向に引き抜き方向を考えても型抜きで製造することは不可能な場合がある。
また、上記構成の十字ボタンにおいては、係止部が１つ設けてあるのみで、設計の自由度が制限され、特にディジタルカメラや携帯通信等の小型化が要求される技術分野においては、大きな問題である。
【０００６】
本発明の目的は、複雑な形状のボタン外観の成形型抜きが可能で、一体成形されるボタン外観の中央にも決定ボタンを配置することができ、しかも小型でありながら上下左右のスイッチを確実にスイッチングするためのチルト角を大きくとることができるボタン装置を提供することにある。
【０００７】
【課題を解決するための手段】
前記目的を達成するために本発明によるボタン装置は、少なくとも上下左右方向に押圧可能なボタン装置であって、　押圧操作されるボタン外形部と、少なくとも４つのスイッチと、該少なくとも４つのスイッチのそれぞれを操作可能な前記ボタン外形部の略中心位置から略上下左右方向の位置に配置された前記ボタン外形部と一体成形の少なくとも４つのボタンピンと、前記ボタン外形部と一体形成された複数の係止部と、前記複数の係止部が係止することにより前記ボタン外形部を係止するボタン受け部とを備え、前記複数の係止部は、少なくとも前記４つのボタンピンより前記ボタン外形部の略中心に近い位置であって、前記上下左右方向からずらした位置に配置した構成とする。
また、本発明は、二次元面における少なくとも上下左右方向に操作可能とするために、操作者にて押圧されるボタン外形部と、該ボタン外形部が載置されるボタン外形受け部と、押圧にてオンとなるスイッチ部と、を備えたボタン装置において、前記ボタン外形部は、下面の少なくとも上下左右方向にそれぞれ配設された複数のボタンピンと、前記ボタン外形受け部に係止される複数の係止部とを備え、前記ボタン外形受け部は、前記ボタンピンを貫通させる孔部と、前記係止部が係止される係止受け部とを備え、前記スイッチ部は、上面の前記ボタン外形受け部の孔部を貫通したそれぞれの前記ボタンピンに対応する位置で、かつ該ボタンピンに押圧されることでオンとなる複数のスイッチを備え、前記ボタン外形部の下面とスイッチ部の上面とを前記ボタン受け部を介して対面する際に、前記上方向に対応するスイッチと前記下方向に対応するスイッチとを結ぶ上下直線と、該上下直線に平行でかつ前記右方向のスイッチを含む第１の直線と、前記上下直線に平行でかつ前記左方向のスイッチを含む第２の直線と、前記左方向に対応するスイッチと前記右方向に対応するスイッチとを結ぶ左右直線と、該左右直線に平行でかつ前記上方向のスイッチを含む第３の直線と、前記左右直線に平行でかつ前記下方向のスイッチを含む第４の直線とを規定し、前記第１の直線と前記第３の直線と前記上下直線と前記左右直線とに囲まれる領域を第１の領域とし、前記第１の直線と前記第４の直線と前記上下直線と前記左右直線とに囲まれる領域を第２の領域とし、前記第２の直線と前記第４の直線と前記上下直線と前記左右直線とに囲まれる領域を第３の領域とし、前記第２の直線と前記第３の直線と前記上下直線と前記左右直線とに囲まれる領域を第４の領域と規定し、前記複数の係止部は、前記第１乃至４の領域の異なる領域に配置した構成とする。
本発明は、上記請求項２において前記スイッチと、該スイッチの左方向および右方向に位置するそれぞれのスイッチとを結ぶ直線を規定し、該直線付近に前記係止部を設けた構成とする。
本発明は、上記請求項３において前記スイッチと、該スイッチの左方向および右方向に位置するそれぞれのスイッチとを結ぶ直線を規定し、該直線の略中央付近に前記係止部を設けた構成とする。
本発明は、上記請求項２乃至４において、前記スイッチは、所要の配線上に設けるとともに、前記配線を保護する保護部を設けた構成であって、前記ボタン外形部を前記ボタン外形受け部に載置し、前記ボタン外形部と前記スイッチ部を所要に対向する際に、前記係止部に対向する位置に、前記保護部が形成されていない形状の構成とする。
本発明は、上記請求項１乃至５において、前記ボタン受け部の底面に制限ピンを有する構成とする。
本発明は、上記請求項２乃至６において、前記ボタン外形部の略中央部に中央ボタンピンを備え、該ボタンピンに対応してスイッチを設けるとともに、前記ボタン外形部の上下左右のそれぞれに配置されたボタンピンより短いストロークでオンできる構成とする。
本発明は、上記請求項２乃至７において、前記ボタン外形部とボタン外形受け部との間に、付勢手段を設けた構成とする。
本発明は、上記請求項８において前記付勢手段はコイルスプリングの構成とする。
【０００８】
【作用】
前記構成によれば、係止部をボタン外形部の略中心に近い位置であって上下左右方向からずらした位置、あるいは図３に示すごとく前記上下直線および左右直線から外れた領域でかつ前記第１から４の領域に少なくとも１つずつ配置することにより、操作者により所要のボタン外形部を押圧した際に、係止部がスイッチにあたることで、所要のボタンピンによる正規のオンと係止部による誤りのオンによる２重のオン操作を防止することができる。
加えて、所要にボタン外形部を押圧する際に、例えば上方向のボタンピンを押した際は、前記第２の領域と第３の領域にある前記係止部を支点として、前記上方向のボタンピンに対応する前記スイッチが押されることで、前記係止部と前記スイッチを押すボタンピンとの距離を小さくしたことで、チルト角を大きく取ることができ、従来のボタン装置のチルト角が小さいのものに比べ、オン操作の信頼性が向上し、スイッチ部の小型化ができるボタン装置を実現できる。
【０００９】
【発明の実施の形態】
以下、図面を参照して本発明の実施の形態を詳しく説明する。
図１は、本発明によるボタン装置を適用したディジタルカメラの背面斜視図である。
ディジタルカメラ１の背面上部に配置されたモード切替レバー９によってカメラ撮影モード，再生モード，セットアップモード等に切り換えることができる。各モードにおいて所定の項目を選択し決定する選択決定ボタン２は背面中央右寄りに配置されている。選択決定ボタン２には上方向，下方向，左方向，右方向に操作を行い所定の項目を選択する選択ボタン４を備え、選択決定ボタン２の略中央部分には前記所要に選択した項目を決定する決定ボタン３が備えられている。
【００１０】
図２は本発明によるボタン装置の実施の形態を示す断面図である。
この実施の形態は、ボタン装置の基本的な構造および機能を示すための概略図である。
ベースに選択ボタンが組み込まれ、選択ボタンは中央に挿入されたスプリングによって上方向に付勢されている。４個の係止爪等の係止部はベースの下面に係止されている。前記決定ボタン３に対応して、前記選択決定ボタン２の下面に決定ボタンピンが配置され、その周囲に前記選択ボタン４に対応して選択ボタンピンが配置されている。４個の係止部は４個の選択ボタンピンの中間部分（４５度のずれ）の位置関係となっている。ベースはディジタルカメラなどの外観カバーに取り付けられる。
なお、本実施例においてはベースをディジタルカメラの外観カバーに取り付けているが、ベースを用いずに、直接外観カバーに取り付ける構成としてもよい。
【００１１】
スイッチ部は基板の上に搭載され、各選択ボタンピンに対応する位置にスイッチを有する。基板は上記選択ボタンの下部に配置され、選択ボタンの決定ボタンピンおよび選択ボタンピンの下降によってスイッチ部のそれぞれのスイッチがオンする。
本発明のボタン装置においては、よい構成としてスイッチ部の決定ボタンスイッチは選択ボタンスイッチより小さいストロークでオンするようになっている。すなわち、決定ボタンピンと、該決定ボタンピンに対応するスイッチとの間の距離より、選択ボタンピンと、該選択ボタンピンに対応するスイッチとの間の距離のほうが長い構成としている。
【００１２】
この構成は例えば、図４のボタン装置の概略断面図で示す。
同図からもわかるとおり、決定ボタンピンから対応するスイッチまでの距離ａが、選択ボタンピンｂ，ｃより短ければよく、同図の構成に限定せずスイッチが同図において高さが同一でも差し支えない。
したがって、同図（ａ）に示すごとく決定ボタン３を押圧する際、決定ボタンピンにてスイッチをオンするが、決定ボタン３は選択決定ボタン２の略中央部にあるため同時に選択ボタンピンにてスイッチをオンしてしまうが、これを防止することができる。
一方同図（ｂ）に示すごとく選択ボタン３の１つの方向の操作を行った際は、この選択ボタン３の１つの方向に対応する選択ボタンピンにてスイッチがオンされ、この操作によって対応する係止部が支点となり、決定ボタン３は下方向にボタンピンが下がるのではなく、略下斜方向に下がりつつ傾くので決定ボタン３に対応されるスイッチがオンする前に、選択ボタン３に対応するスイッチがオンする。
【００１３】
【実施例】
図５は本発明によるボタン装置の選択決定ボタンの実施例を示す図で、（ａ）は平面図，（ｂ）は側面断面図，（ｃ）は底面図である。
この実施例は図１のボタン装置を示すものである。選択決定ボタン２は円形状であり、外縁に沿って４つの突堤２ａが形成されている。決定ボタン３は円形状で上に突き出している。４つの突堤２ａと円形の決定ボタン３の間の凹部２ｂより周辺部分がボタン４となる。したがって、ボタン４の選択ボタンを押す場合、４つの突堤２ａのいずれかを押すこととなる。円形の決定ボタン３の裏面は略同じ厚みになるように肉抜きされ凹部８が形成され、中央から決定選択ボタンピン７が下に延びている。
【００１４】
ボタン３の裏面は９０度間隔で４個のボタンピン６ａ，６ｂ，６ｃおよび６ｄが下部に延びている。さらに各突堤２ａの間の裏面には係止部５ａ，５ｂ，５ｃおよび５ｄが下部に延びている。係止部５ａ，５ｂ，５ｃおよび５ｄとボタンピン６ａ，６ｂ，６ｃおよび６ｄとはそれぞれ４５度隔てた配置となっており、選択決定ボタン２の表面はメタルメッキが施されている。
【００１５】
図６は、本発明によるボタン装置の選択決定ボタン受けの実施例を示す図で、（ａ）は平面図，（ｂ）は側面断面図，（ｃ）は底面図である。
選択決定ボタン受け１０は周囲が円堤１０ｂ形状をしており、その内側にボタン収容部１０ａが形成されている。中央部には決定ボタン用の円孔１３，周囲にはボタンピン用の長孔１１ａ，１１ｂ，１１ｃおよび１１ｄが設けられている。円堤１０ｂの内側には係止部用の係止部孔１２ａ，１２ｂ，１２ｃおよび１２ｄが設けられている。さらにボタン収容部１０ａの底部裏面に制限ピン１４ａ，１４ｂ，１４ｃ，１４ｄ，１４ｅおよび１４ｆが植設されている。
【００１６】
図７は、図５および図６の選択決定ボタンと選択決定ボタン受けの組立図で、（ａ）は平面図，（ｂ）はＡ−Ａ’断面図，（ｃ）はＡ−Ｂ断面図，（ｄ）は底面図である。
選択決定ボタン２の決定ボタンピン７にコイルスプリング１５を挿通し、選択決定ボタン受け１０のボタン収容部１０ａに選択決定ボタン２を挿入する。
各ピンおよび係止部は、決定ボタン用の孔１３，ボタンピン１１ａ，１１ｂ，１１ｃおよび１１ｄならびに爪係止溝１２ａ，１２ｂ，１２ｃおよび１２ｄに嵌挿される。このとき係止部５ａ，５ｂ，５ｃおよび５ｄの先端部斜面は爪係止溝の壁に接触して内側に押され、さらに選択決定ボタン２を押し込むと、係止部５ａ，５ｂ，５ｃおよび５ｄの復元力により各先端部が爪係止溝１２ａ，１２ｂ，１２ｃおよび１２ｄに係止する。以上により選択決定ボタン２と選択決定ボタン受け１０の組み立てが完了する。
【００１７】
図８は、本発明によるボタン装置のスイッチ部の実施例を示す図であり、（ａ）は係止部が絶縁カバーを設ける位置から外れた構成であり、（ｂ）は係止部の配置される位置に絶縁カバーを設けない凹部を設けた構成である。
同図に示す如く、スイッチ部１６は略中央部に前記決定ボタンピンに対応する決定スイッチ１８と、前記選択ボタンピンに対応する選択スイッチ１７ａ，１７ｂ，１７ｃおよび１７ｄが配置されている。各スイッチ下には配線が所要に設けられており、外部からの衝撃や湿気等から防護する絶縁カバー３０で覆われている。
さらに、同図（ｂ）においては、選択決定ボタンスイッチ２の下面とスイッチ部の上面を対面する際に、選択決定ボタン２に設けた係止部が凹み部３１に配置される構成となっている。
このような構成とすることで、選択決定ボタンスイッチ２とスイッチ部の上面を対面する際に、絶縁カバー３０の厚み分だけ薄くできるとともに、上述したチルト角を大きくすることができ、選択決定スイッチ２の形状も小型化できる。
【００１８】
図９は、本発明によるボタン装置の実施例を示す断面図である。
ディジタルカメラの背面カバー２０に選択決定ボタン受け１０が取り付けられ、スイッチ部１６を搭載した基板１９が選択決定ボタン受け１０の下面に配置される。制限ピン１４ａ〜１４ｆが基板１９に突き当たり、選択決定ボタン受け１０の下面とスイッチ部１６の上面とは所定の間隔に保持される。
選択ボタンの押し下げでは、反対側の２つの係止部が支点となって押された選択スイッチがオンする。決定ボタンスイッチは選択ボタンスイッチより短いストロークでオンするため、中央部分を押すことにより決定ボタンが最初にオンする。
【００１９】
図１０は、本発明によるボタン装置の選択決定ボタンの型抜きを説明するための図である。
本発明による選択決定ボタン２を成形する場合、上型２１と下型２２で作ることができ、各上型および下型はそれぞれ矢印の方向に引き抜くことができる。したがって、ボタン外観の上面に凹部を持つ複雑な形状でも本発明によれば、型で成形することが可能である。
【００２０】
図１１は、スイッチ部と係止部の位置関係を説明するための図である。
本発明における選択スイッチと係止部の関係は図１１（ａ）で示す配置である。選択スイッチ２４を押す場合、支点位置２５は２つの係止部を結んだ線上にあり、支点から中心部までの距離はＳ１　である。選択スイッチ２４を所定量ｈ押すためのチルト角はθ１　である。
一方、図１１（ｂ）は図１１（ａ）と同じ寸法の十字スイッチの選択スイッチに対し、その延長上の外側に係止部を設けた例である。この例は支点位置がそれぞれの係止部の位置となり図１１（ａ）と同じ位置の選択スイッチ２６を押す場合、支点から中心部までの距離はＳ２　である。同様に選択スイッチ２６を所定量ｈ押すためのチルト角はθ２　となる。
スイッチオンのためのチルト角はθ１　＞θ２　であり、チルト角は図１１（ａ）の方が大きくとれることを示している。よって本発明の構造である図１１（ａ）は図１１（ｂ）に比較し動作の信頼性は高く、同時に他の選択スイッチをオンさせてしまうという誤作動を確実に防止できる。
【００２１】
また、係止部をボタンピンよりボタン外形部の略中心に近い位置に配置し、支点から中心部までの距離を小さくすることができることで、チルト角をさらに大きくすることができ、係止部をスイッチ部からずらした位置に配置することで、係止部がスイッチ部にあたることがなくなり誤動作を防止するとともに、係止部とスイッチ部との所要の間隔を係止部とスイッチ部を設けた基板との間隔にすることができ、係止部とスイッチ部との所要の間隔の分だけ装置を薄くすることができる。
なお、この所要の間隔とはボタンを操作者にて押した際に同時に係止部が下がるが、この際に係止部が対向する基板等に接触またはあたるまでの間隔を示し、装置に影響をおよぼさない範囲の間隔を示す。したがって、この間隔は設計者により自由に変更でき、係止部が対向する基板等に接触しないようにしてもよい。
【００２２】
なお、本発明は上記実施の形態に限定されるものではなく、本発明の要旨を逸脱しない範囲内であれば種々の変更や改善などは、なんら差し支えない。
たとえば、上記の実施の形態においては、上下左右方向のボタン操作を行える構成としたが、これに限定せず上と左の間の方向，上と右の間の方向，下と左の間の方向，下と右の間の方向にもボタン操作を行えるものでも本願発明の効果を得ることができる。
【００２３】
【発明の効果】
以上、説明したように本発明によれば、上下左右方向に操作できるボタン装置のボタン外観に対し凹部を有する複雑な形状を採用した場合であっても型による形成可能であり、安価に製造することができる。
また、スイッチ口径を小さくしながらチルト角を大きくできる構成のため、選択スイッチを押すときの誤動作を確実に防止でき、信頼性の高いボタン装置を得ることができる。
【図面の簡単な説明】
【図１】本発明によるボタン装置を適用したディジタルカメラの背面斜視図である。
【図２】本発明によるボタン装置の実施の形態を示す断面図である。
【図３】本発明によるボタン装置の作用を説明するための図である。
【図４】本発明によるボタン装置の概略断面図である。
【図５】本発明によるボタン装置の選択決定ボタンの実施例を示す図で、（ａ）は平面図，（ｂ）は側面断面図，（ｃ）は底面図である。
【図６】本発明によるボタン装置の選択決定ボタン受けの実施例を示す図で、（ａ）は平面図，（ｂ）は側面断面図，（ｃ）は底面図である。
【図７】図５および図６の選択決定ボタンと選択決定ボタン受けの組立図で、（ａ）は平面図，（ｂ）はＡ−Ａ’断面図，（ｃ）はＡ−Ｂ断面図，（ｄ）は底面図である。
【図８】本発明によるボタン装置のスイッチ部の実施例を示す図である。
【図９】本発明によるボタン装置の実施例を示す断面図である。
【図１０】本発明によるボタン装置の選択決定ボタンの型抜きを説明するための図である。
【図１１】スイッチ部と爪の位置関係を説明するための図である。
【図１２】従来のボタン装置の一例を説明するための図で、（ａ）はボタンと係止板の組立断面図，（ｂ）はボタンの平面図，（ｃ）は係止板の平面図である。
【図１３】ボタンの型抜きを説明するための図で、（ａ）はボタン外観が平面の場合、（ｂ）はボタン外観に凹み部を形成した場合である。
【符号の説明】
１　ディジタルカメラ
２　選択決定ボタン
３　決定ボタン
４，３１　ボタン
５ａ，５ｂ，５ｃ，５ｄ　係止部
６ａ，６ｂ，６ｃ，６ｄ　ボタンピン
７　決定ボタンピン
８　凹部
９　モード切替レバー
１０　選択決定ボタン受け
１１ａ，１１ｂ，１１ｃ，１１ｄ　ボタンピン用長孔
１２ａ，１２ｂ，１２ｃ，１２ｄ　爪係止孔
１３　決定ボタン用孔
１４ａ〜１４ｆ　制限ピン
１５　スプリング
１６　スイッチ部
１７ａ，１７ｂ，１７ｃ，１７ｄ　選択スイッチ
１８　決定スイッチ
１９　基板
２１，２２，３３〜３８，４１，４２　型
３２　係止板
４０　十字ボタン
【図１】
2004146301.tif 000003
【図２】
2004146301.tif 000004
【図３】
2004146301.tif 000005
【図４】
2004146301.tif 000006
【図５】
2004146301.tif 000007
【図６】
2004146301.tif 000008
【図７】
2004146301.tif 000009
【図８】
2004146301.tif 000010
【図９】
2004146301.tif 000011
【図１０】
2004146301.tif 000012
【図１１】
2004146301.tif 000013
【図１２】
2004146301.tif 000014
【図１３】
2004146301.tif 000015